(57)【要約】【課題】電線への着脱作業に必要な間接活線工具の種類を少なくすることができて外れにくい絶縁カバーを提供する。【解決手段】絶縁材からなる円筒体の一部をその軸方向の全域にわたって切り欠いてなる第１の筒状体２と、この第１の筒状体２の中空部内に収容され絶縁材からなる円筒体の一部をその軸方向の全域にわたって切り欠いてなる第２の筒状体９ａと、第１の筒状体２の両端面を塞ぐ一対の第１の端面部３と、第２の筒状体９ａの両端面を塞ぐ一対の第２の端面部１０ａと、第１の筒状体２に形成される第１の切欠き部４に連続して形成される第２の切欠き部５と、第２の筒状体９ａに形成される第３の切欠き部１１に連続して形成される第４の切欠き部１２と、第１の端面部３に形成されるガイド用窓部６ａと、このガイド用窓部６ａから導出されるように第２の端面部１０ａに突設される突起部１３ａとを有することを特徴とする絶縁カバー１Ａによる。【選択図】図１
2018073580.tif 000002
【特許請求の範囲】
【請求項１】
絶縁材からなる円筒体の一部をその軸方向の全域にわたって切り欠いてなる第１の筒状体と、
この第１の筒状体の中空部内に収容され、絶縁材からなる円筒体の一部をその軸方向の全域にわたって切り欠いてなる第２の筒状体と、
前記第１の筒状体の両端面を塞ぐ一対の第１の端面部と、
前記第２の筒状体の両端面を塞ぐ一対の第２の端面部と、
一対の前記第１の端面部において、前記第１の筒状体に形成される第１の切欠き部に連続して形成され、前記第１の筒状体の中心軸上に電線を配設するための第２の切欠き部と、
一対の前記第２の端面部において、前記第２の筒状体に形成される第３の切欠き部に連続して形成され、前記第２の筒状体の中心軸上に前記電線を配設するための第４の切欠き部と、
一対の前記第１の端面部の少なくとも一方に形成され、前記第１の筒状体の軸方向垂直断面における中心と同じ中心を有する円弧上に形成されるガイド用窓部と、
前記第２の端面部において、前記電線の軸方向と平行に、かつ、前記ガイド用窓部から導出されるように、突設される突起部とを有し、
前記第２の筒状体をその中心軸を基軸に回動させた場合に、前記第１の切欠き部は、前記第２の筒状体により完全に被覆されることを特徴とする絶縁カバー。
【請求項２】
前記第２の筒状体に代えて、絶縁材からなる円筒体の一部を軸方向に切り取ってなる割筒体を備え、
前記第２の端面部に代えて、前記割筒体はその両端面に、前記割筒体をその中心軸を基軸に回動させた場合に、前記第２の切欠き部の一部を塞ぐ一対の端板部を備え、
一対の前記第１の端面部のそれぞれは、前記ガイド用窓部を備え、
一対の前記端板部のそれぞれは、前記ガイド用窓部の形成位置と符合する位置に突設される前記突起部を備え、
前記割筒体をその湾曲面の中心軸を基軸に回動させた場合に、前記第１の切欠き部は、前記割筒体により完全に被覆されることを特徴とする請求項１に記載の絶縁カバー。
【請求項３】
前記突起部の前記ガイド用窓部から導出される先端側は、前記電線の軸方向と平行に配される棒状のハンドル部を備えていることを特徴とする請求項１又は請求項２に記載の絶縁カバー。
【請求項４】
絶縁材からなる円筒体の一部をその軸方向の全域にわたって切り欠いてなる第１の筒状体と、
この第１の筒状体の中空部内に収容され、絶縁材からなる円筒体の一部をその軸方向の全域にわたって切り欠いてなる第２の筒状体と、
前記第１の筒状体の両端面を塞ぐ一対の第１の端面部と、
前記第２の筒状体の両端面を塞ぐ一対の第２の端面部と、
一対の前記第１の端面部において、前記第１の筒状体に形成される第１の切欠き部に連続して形成され、前記第１の筒状体の中心軸上に電線を配設するための第２の切欠き部と、
一対の前記第２の端面部において、前記第２の筒状体に形成される第３の切欠き部に連続して形成され、前記第２の筒状体の中心軸上に前記電線を配設するための第４の切欠き部と、
前記第１の筒状体に形成され、前記第１の筒状体の軸方向垂直断面における中心と同じ中心を有する円弧上に形成される少なくとも１つのガイド用窓部と、
前記第２の筒状体において、前記ガイド用窓部から導出されるように突設される突起部と、
前記突起部の、前記第２の筒状体に接続されない側の端部側に設けられ、前記電線の軸方向と平行に配される棒状のハンドル部とを有し、
前記第２の筒状体をその中心軸を基軸に回動させた場合に、前記第１の切欠き部は、前記第２の筒状体により完全に被覆されることを特徴とする絶縁カバー。
【請求項５】
前記ガイド用窓部は、前記第１の筒状体を前記電線に設置した際に、前記第１の筒状体における鉛直上方側と鉛直下方側の間の周側面上に形成されていることを特徴とする請求項４に記載の絶縁カバー。
【発明の詳細な説明】
【技術分野】
【０００１】
本発明は、汎用的な１種類の間接活線工具のみを用いて電線への着脱を容易に行うことができる絶縁カバーに関する。
【背景技術】
【０００２】
従来、電線に装着される絶縁カバーは、雄雌嵌合（ホック）を嵌合・分離させることにより着脱を行うもの（例えば、特開２０１１−２５０５９９号公報；特許文献１）が主流であった。このような従来型の絶縁カバーの装着作業時には少なくとも２種類の間接活線工具を用いる必要があった。より具体的に説明すると、従来型の絶縁カバーを電線に装着するには、そのカバー部を先端工具（カバー押え器）により把持して電線の上からカバー部を電線の接続部に被せ、この後、間接活線工具であるヤットコを使用してカバー部両端のホック同士を嵌合する作業を行っていた。
さらには、上述のような従来型の絶縁カバーを取り外す際には、装着時に使用するものとは異なる別の特殊な形態の間接活線工具を用いる必要があった。より具体的に説明すると、従来型の絶縁カバーの撤去手順としては、先端工具（バインド打ち器）を使用してホック同士の嵌合を解除し、この後、間接活線工具であるヤットコを使用してカバー部を接続部から取り外すという作業を行っていた。
このように従来型の絶縁カバーの着脱作業時には、複数種類の間接活線工具を用いる必要があり、作業者は作業の度に複数種類の間接活線工具を携行せねばならず極めて煩雑であった。
本願発明と関連する技術分野の先行技術としては以下に示すようなものが知られている。
【０００３】
特許文献２には「絶縁用防護管」という名称で活線作業時に電線に取り付けて用いる絶縁用防護管に関する発明が開示されている。
特許文献２に開示される絶縁用防護管は、文献中に記載される符号をそのまま用いて説明すると、電線を被覆するように円筒状に形成され、軸方向に沿って切れ目を有した内側被覆管１０と、内側被覆管１０を被覆するように円筒状に形成され、軸方向に沿って切れ目を有した外側被覆管２０と、外側被覆管２０とその外側被覆管２０に被覆された内側被覆管１０との間に位置し、外側被覆管２０と同心状となるように、かつ外側被覆管２０に対して相対的に回動自在となるように内側被覆管１０を支持する回動支持機構を備えてなるものである。つまり、特許文献２に開示される絶縁用防護管では、外側被覆管２０に収容された内側被覆管１０により電線を被覆すると共に、外側被覆管２０に対して内側被覆管１０が回動されるよう構成されるものである。
【０００４】
特許文献３には「管および電線の絶縁方法」という名称で、電線に絶縁物を取り付けて電線の絶縁を図るための管及び絶縁方法に関する発明が開示されている。
特許文献３に開示された発明は、文献中に記載される符号をそのまま用いて説明すると、いずれも円周方向の一部を長手方向に切り欠いたスリット状の開口１３ａ、１４ａ、１５ａを持つ複数径種の一部開口管１３、１４、１５を複数層に積層し、かつ、各層毎に一部開口管１３、１４、１５を複数本長手方向に接続して、絶縁管１１を構成してなるものである。
上記構成の特許文献３に開示される発明によれば、絶縁管が積層構造に組み立てられているため、円周方向の電気沿面距離を容易に確保することができる。また、従来の絶縁管のように面合わせ部が大きく突出するものと異なり、高さ寸法が大幅に小形化され、このため絶縁管の受圧面積が小さくなり、風圧加重も低減させることができる。
【先行技術文献】
【特許文献】
【０００５】
【特許文献１】特開２０１１−２５０５９９号公報
【特許文献２】特開２０１１−１２０４０４号公報
【特許文献３】特開２００５−６３８２９号公報
【発明の概要】
【発明が解決しようとする課題】
【０００６】
上述の特許文献１に開示される発明の場合、鉛直斜め上方側、又は、鉛直上方側に配される突起を間接活線工具のヤットコでつまむことは容易ではなく、作業性を向上しがたいという課題があった。
【０００７】
特許文献２に開示される発明の場合は、そもそも間接活線工具のヤットコで支持しておくための挟持部や、操作用の突起を備えていないので、間接活線工具のヤットコを用いる際の操作性が極めて悪いという課題があった。
【０００８】
本発明はかかる従来の事情に対処してなされたものでありその目的は、電線への着脱作業に必要な間接活線工具の種類を少なくすることができ、経時変化に伴い絶縁カバーに劣化が起きた場合でも外れ難い絶縁カバーを提供することにある。
【課題を解決するための手段】
【０００９】
上記課題を解決するための第１の発明である絶縁カバーは、絶縁材からなる円筒体の一部をその軸方向の全域にわたって切り欠いてなる第１の筒状体と、この第１の筒状体の中空部内に収容され、絶縁材からなる円筒体の一部をその軸方向の全域にわたって切り欠いてなる第２の筒状体と、第１の筒状体の両端面を塞ぐ一対の第１の端面部と、第２の筒状体の両端面を塞ぐ一対の第２の端面部と、一対の第１の端面部において、第１の筒状体に形成される第１の切欠き部に連続して形成され、第１の筒状体の中心軸上に電線を配設するための第２の切欠き部と、一対の第２の端面部において、第２の筒状体に形成される第３の切欠き部に連続して形成され、第２の筒状体の中心軸上に電線を配設するための第４の切欠き部と、一対の第１の端面部の少なくとも一方に形成され、第１の筒状体の軸方向垂直断面における中心と同じ中心を有する円弧上に形成されるガイド用窓部と、第２の端面部において、電線の軸方向と平行に、かつ、ガイド用窓部から導出されるように、突設される突起部とを有し、第２の筒状体をその中心軸を基軸に回動させた場合に、第１の切欠き部は、第２の筒状体により完全に被覆されることを特徴とするものである。
上記構成の第１の発明において、第１及び第２の筒状体は、被装着対象である電線の任意の領域の周側面上を被覆して絶縁するという作用を有する。また、第１及び第２の端面部はともに、第１及び第２の筒状体の端面を被覆して第１及び第２の筒状体の中空部内に雨水が侵入するのを妨げるという作用を有する。さらに、第１及び第３の切欠き部は、第１及び第２の筒状体の中空部内に電線を出し入れさせるという作用を有する。加えて、第２及び第４の切欠き部は、第１及び第２の筒状体の中心軸上に電線を配設させるという作用を有する。つまり、第１，第２の端面部が、第２，第４の切欠き部を備えることで、第１，第２の筒状体を電線に掛止することが可能になる。さらに、第２，第４の切欠き部の深さにより、第１及び第２の筒状体の中空部内における電線の配設位置が決まる。また、第１の端面部に形成されるガイド用窓部は、第２の端面部に突設される突起部を導出させるとともに、この突起部を外部から間接活線工具を用いて直接又は間接的に操作する際の、突起部の動きを制御するガイド用孔としても作用する。さらに、このガイド用窓部から導出される突起部を、間接活線工具を用いて操作することで、ガイド用窓部の形成範囲内において第２の筒状体をその中心軸を基軸に正方向又は逆方向に回動させるという作用を有する。そして、突起部を直接又は間接的に操作して第２の筒状体をその中心軸を基軸に回動させた際に、第１の筒状体の第１の切欠き部が、第２の筒状体により完全に被覆されることで、電線の任意の領域の周側面上を第１及び第２の筒状体により被覆して絶縁するという作用を有する。
【００１０】
第２の発明である絶縁カバーは、上述の第１の発明において、第２の筒状体に代えて、絶縁材からなる円筒体の一部を軸方向に切り取ってなる割筒体を備え、第２の端面部に代えて、割筒体はその両端面に、この割筒体をその中心軸を基軸に回動させた場合に、第２の切欠き部の一部を塞ぐ一対の端板部を備え、一対の第１の端面部のそれぞれは、ガイド用窓部を備え、一対の端板部のそれぞれは、ガイド用窓部の形成位置と符合する位置に突設される突起部を備え、割筒体をその湾曲面の中心軸を基軸に回動させた場合に、第１の切欠き部は、割筒体により完全に被覆されることを特徴とするものである。
上記構成の第２の発明は、上述の第１の発明において第２の端面部を有する第２の筒状体に代えて、第２の筒状体よりも筒状体の周側面の面積が小さい割筒体、及び、第２の端面部よりもその面積が小さい端板部を備えている。また、第２の発明における割筒体はその原形である筒状体の欠損部分の領域の方が大きいので、第３の切欠き部に相当する部位を備えていない。同様の理由により第２の発明における端板部も第４の切欠き部に相当する部位を備えていない。このため、上述の第１の発明では、第２の筒状体が電線に掛止されることで、第１の筒状体の中空部内における第２の筒状体の配設位置が決まるのに対し、第２の発明では、一対の端板部のそれぞれに突設される突起部が、第２のガイド用窓部に掛止される（第２のガイド用窓部から導出される）ことで、第１の筒状体の中空部における割筒体の配設位置が決まる。
上記以外の第２の発明における各構成要素は、第１の発明におけるそれぞれの構成要素と同じ作用を有する。
そして、上述のような第２の発明は、上述の第１の発明と同様に、突起部を直接又は間接的に操作して割筒体をその湾曲面の中心軸を基軸に回動させた際に、第１の筒状体における第１の切欠き部が、割筒体により完全に被覆されることで、電線の任意の領域の周側面上を第１筒状体及び割筒体により被覆して絶縁するという作用を有する。
【００１１】
第３の発明である絶縁カバーは、上述の第１又は第２の発明において、突起部のガイド用窓部から導出される先端側は、電線の軸方向と平行に配される棒状のハンドル部を備えていることを特徴とするものである。
上記構成の第３の発明は、上述の第１又は第２の発明による作用と同じ作用に加えて、ハンドル部を有することで、間接活線工具であるヤットコによる突起部の操作を容易にするという作用を有する。
【００１２】
第４の発明である絶縁カバーは、絶縁材からなる円筒体の一部をその軸方向の全域にわたって切り欠いてなる第１の筒状体と、この第１の筒状体の中空部内に収容され、絶縁材からなる円筒体の一部をその軸方向の全域にわたって切り欠いてなる第２の筒状体と、第１の筒状体の両端面を塞ぐ一対の第１の端面部と、第２の筒状体の両端面を塞ぐ一対の第２の端面部と、一対の第１の端面部において、第１の筒状体に形成される第１の切欠き部に連続して形成され、第１の筒状体の中心軸上に電線を配設するための第２の切欠き部と、一対の第２の端面部において、第２の筒状体に形成される第３の切欠き部に連続して形成され、第２の筒状体の中心軸上に電線を配設するための第４の切欠き部と、第１の筒状体に形成され、第１の筒状体の軸方向垂直断面における中心と同じ中心を有する円弧上に形成される少なくとも１つのガイド用窓部と、第２の筒状体において、ガイド用窓部から導出されるように突設される突起部と、この突起部の、第２の筒状体に接続されない側の端部側に設けられ、電線の軸方向と平行に配される棒状のハンドル部とを有し、第２の筒状体をその中心軸を基軸に回動させた場合に、第１の切欠き部は、第２の筒状体により完全に被覆されることを特徴とするものである。
上記構成の第４の発明は、上述の第１の発明におけるガイド用窓部が第１の端面部に形成される代わりに、第１の筒状体の周側面上に形成され、これに伴い上述の第１の発明における突起部が、第２の筒状体の周側面上に形成されてなるものである。さらに、第４の発明では、突起部の、第２の筒状体に接続されない側の端部側に設けられるハンドル部は、上述の第３の発明におけるハンドル部と同じ作用を有する。
そして、上記以外の第４の発明における各構成要素のそれぞれは、第１の発明におけるそれぞれの構成要素と同じ作用を有する。
よって、上述のような第４の発明によれば、上述の第１の発明と同様に、突起部を直接又は間接的に操作して第２の筒状体をその中心軸を基軸に回動させた際に、第１の筒状体における第１の切欠き部が、第２の筒状体により完全に被覆されることで、電線の任意の領域の周側面上を第１及び第２の筒状体により被覆して絶縁するという作用を有する。
【００１３】
第５の発明である絶縁カバーは、上述の第４の発明において、ガイド用窓部は、第１の筒状体を電線に設置した際に、第１の筒状体における鉛直上方側と鉛直下方側の間の周側面上に形成されていることを特徴とするものである。
上記構成の第５の発明は、上述の第４の発明による作用と同じ作用に加えて、第１の筒状体を電線に設置した際の水平方向側にガイド用窓部が形成されることで、第１の筒状体の側面側から間接活線工具であるヤットコにより突起部を挟持するのを容易にするという作用を有する。
【発明の効果】
【００１４】
第１乃至第５のそれぞれの発明によれば、電線の任意の領域の周側面上を第１及び第２の筒状体、又は、第１の筒状体及び割筒体により被覆して絶縁することができる。
また、第１乃至第５のそれぞれの発明によれば、第２の筒状体又は割筒体をその湾曲面の中心軸を基軸に正逆方向に回動させるための突起部の操作を間接活線工具であるヤットコを用いて行うことができる。このことは、第１乃至第５のそれぞれの発明である絶縁カバーの電線への着脱作業を間接活線工具であるヤットコのみで行うことができることを意味している。
よって、第１乃至第５のそれぞれの発明によれば、接活線工具であるヤットコのみを用いて電線への絶縁カバーの装着と取り外しを行うことができるので、絶縁カバー着脱時の作業性を向上するとともに、その作業時に作業者が携行すべき間接活線工具の種類を少なくすることができる。
さらに、第１乃至第５のそれぞれの発明によれば、電線の任意の領域の周側面上を絶縁材で被覆する際に、雄雌嵌合方式（ホック）による従来型の絶縁カバーを用いる場合に比べて、経時変化に伴って絶縁カバーのホックが劣化して絶縁カバーが外れてしまうというような不具合が起こり難い。よって、第１乃至第５のそれぞれの発明によれば、耐久性に優れた絶縁カバーを提供することができる。
【００１５】
特に、第１，第２の発明によれば、絶縁カバーの構造を極力シンプルにできるとともに、第１，第２の発明における第２の筒状体，割筒体を回動させるための突起部が、電線の中心軸と平行に突設されるため、第１，第２の発明である絶縁カバーを電線に掛止した状態で、第１の筒状体の側面側又は斜め下方側から間接活線工具であるヤットコを差し伸べて突起部を挟持して操作することが容易である。したがって、第１，第２の発明によればシンプルでかつヤットコによる操作性に優れた絶縁カバーを提供することができる。
【００１６】
特に第３，第４の発明によれば、突起部のガイド用窓部から導出される先端側にハンドル部を備えていることで、間接活線工具であるヤットコにより挟持可能な部位を長くすることができる。この結果、第３，第４の発明によれば、間接活線工具であるヤットコによる突起部の操作を一層容易にすることができる。
よって、第３，第４の発明によれば、着脱作業が一層容易な絶縁カバーを提供することができる。
【００１７】
特に第５の発明によれば、突起部の可動範囲が、電線に第１の筒状体を設置した場合の第１の筒状体の側方側（鉛直上方を通過する場合、及び、鉛直下方を通過する場合、を除く概念である）に特定される。通常、電線上の所望箇所に絶縁カバーを設置する場合、斜め下方側、あるいは、電線の水平方向側から間接活線工具を差し伸べて作業することが一般的であるので、突起部の可動範囲が上述のように特定されることで、間接活線工具であるヤットコによる突起部の間接的な操作を一層容易にすることができる。
つまり、第５の発明によれば、間接活線工具であるヤットコによる操作性を一層向上することができる。
【図面の簡単な説明】
【００１８】
【図１】本発明の実施例１に係る絶縁カバーの斜視図である。
【図２】（ａ）本発明の実施例１に係る絶縁カバーの第１の筒状体の斜視図であり、（ｂ）同絶縁カバーの第２の筒状体の斜視図である。
【図３】（ａ），（ｂ）はいずれも本発明の実施例１に係る絶縁カバーを突起部が形成される端面方向から見た図である。
【図４】本発明の実施例１に係る絶縁カバーの着脱作業の様子を示す端面図である。
【図５】（ａ）本発明の実施例２に係る絶縁カバーの第１の筒状体の斜視図であり、（ｂ）同絶縁カバーの第２の筒状体の斜視図である。
【図６】本発明の実施例２に係る絶縁カバーの斜視図である。
【図７】本発明の実施例３に係る絶縁カバーの斜視図である。
【図８】本発明の実施例４に係る絶縁カバーの斜視図である。
【図９】本発明の実施例５に係る絶縁カバーの斜視図である。
【発明を実施するための形態】
【００１９】
本発明の実施の形態に係る絶縁カバーについて実施例１乃至実施例５に基づいて詳細に説明する。
【実施例１】
【００２０】
はじめに、本発明の実施例１に係る絶縁カバーについて図１乃至図４を参照しながら詳細に説明する。
図１は本発明の実施例１に係る絶縁カバーの斜視図である。また、図２（ａ）は本発明の実施例１に係る絶縁カバーの第１の筒状体の斜視図であり、（ｂ）は同絶縁カバーの第２の筒状体の斜視図である。なお、図１は実施例１に係る絶縁カバー１Ａの使用状態を示す図であり、図２（ａ），（ｂ）は実施例１に係る絶縁カバー１Ａを分解した状態を示す図である。
まず、図１，２を参照しながら実施例１に係る絶縁カバー１Ａの概要について説明する。
実施例１に係る絶縁カバー１Ａは、図１，２に示すように主に、例えば合成樹脂等の絶縁材からなる円筒体の一部をその軸方向の全域にわたって切り欠いてなる第１の筒状体２［図２（ａ）を参照］と、この第１の筒状体２の中空部内に収容され、同じく例えば合成樹脂等の絶縁材からなる円筒体の一部をその軸方向の全域にわたって切り欠いてなる第２の筒状体９ａ［図２（ｂ）を参照］とにより構成されている。つまり、実施例１に係る絶縁カバー１Ａは、絶縁材からなる円筒体の周側面の一部を軸８方向の全域にわたって切り欠いてなる第１の切欠き部４を有する第１の筒状体２と、絶縁材からなる円筒体の周側面の一部を軸８方向の全域にわたって切切り欠いてなる第３の切欠き部１１を有する第２の筒状体９ａとを備えている。
【００２１】
また、図１，図２（ａ）に示すように、第１の筒状体２は、その両端面を塞ぐ一対の第１の端面部３，３を備え、さらに、この第１の端面部３，３は、第１の筒状体２に形成される第１の切欠き部４に連続して形成される第２の切欠き部５を有している。
このように、第１の筒状体２が第１の切欠き部４及び第２の切欠き部５を備えていることで、第１の筒状体２の中空部内の中心軸８上に電線１４を配設することができる。
さらに、図１，図２（ｂ）に示すように、第２の筒状体９ａは、その両端面を塞ぐ一対の第２の端面部１０ａ，１０ａを備え、さらに、この第２の端面部１０ａ，１０ａは、第２の筒状体９ａに形成される第１の切欠き部４に連続して形成される第４の切欠き部１２を有している。
このように、第２の筒状体９ａが第１の切欠き部４及び第２の切欠き部５を備えていることで、第２の筒状体９ａの中空部内の中心軸８上に電線１４を配設することができる。
このように、実施例１に係る絶縁カバー１Ａでは、第１の筒状体２が第１の切欠き部４及び第２の切欠き部５を備えるとともに、第２の筒状体９ａが第３の切欠き部１１及び第４の切欠き部１２を備えることで、第１の筒状体２の中空部内に第２の筒状体９ａを収容してなる二重の筒状物を、図１に示すように電線１４上の所望位置に掛止して設置することができる。
【００２２】
また、実施例１に係る絶縁カバー１Ａの第１の筒状体２は、一対の第１の端面部３，３の少なくとも一方に、第１の筒状体２の軸方向（中心軸８）垂直断面における中心Ｓ［図２（ａ）を参照］と同じ中心を有する円弧上に形成されるガイド用窓部６ａを有している。
さらに、実施例１に係る絶縁カバー１Ａの第２の筒状体９ａにおける第２の端面部１０ａは、第１の筒状体２の中空部内に第２の筒状体９ａを収容した際の、ガイド用窓部６ａの形成位置と符合する位置に、このガイド用窓部６ａから導出されるように突設される突起部１３ａを有している。
したがって、実施例１に係る絶縁カバー１Ａでは、上述のような第１の筒状体２の中空部内に第２の筒状体９ａを収容した際に、ガイド用窓部６ａから第２の端面部１０ａ上に突設される突起部１３ａが導出され、この突起部１３ａを間接活線工具であるヤットコ１５で挟持してガイド用窓部６ａの形成方向に沿って移動させることで、第１の筒状体２の中空部内に収容される第２の筒状体９ａを中心軸８を基軸に回動させることができる。
【００２３】
次に、図１，３，４を参照しながら実施例１に係る絶縁カバー１Ａの使用方法について説明する。
図３（ａ），（ｂ）はいずれも本発明の実施例１に係る絶縁カバーを突起部が形成される端面方向から見た図である。また、図４は本発明の実施例１に係る絶縁カバーの着脱作業の様子を示す端面図である。なお、図１，２に記載されたものと同一部分については同一符号を付し、その構成についての説明は省略する。
また、本発明に係る絶縁カバー（絶縁カバー１Ａ〜１Ｅ）は、特に図示しないが電線１４同士の接続箇所を必要に応じて一時的に被覆するためのものである。
実施例１に係る絶縁カバー１Ａを用いて電線１４上の所望部位を絶縁するには、まず、図１に示すように、第１の筒状体２の中空部内に第２の筒状体９ａを収容し、かつ、第１の筒状体２における第１の切欠き部４と第２の切欠き部５からなる孔と、第２の筒状体９ａにおける第３の切欠き部１１と第４の切欠き部１２とからなる孔とが連通孔をなす状態にしてから、この連通孔内に電線１４を収容すればよい。つまり、第１の筒状体２及び第２の筒状体９ａからなる二重の筒状体を、電線１４上の所望箇所に掛止する（図１を参照）。
なお、第１の筒状体２における第１の切欠き部４と第２の切欠き部５からなる孔と、第２の筒状体９ａにおける第３の切欠き部１１と第４の切欠き部１２とからなる孔とによる連通孔が形成される場合、この連通孔の幅は電線１４を挿脱可能な幅であれば、第１の切欠き部４と第３の切欠き部１１とが完全に重なり合っている必要はなく、第１の切欠き部４の一部と第３の切欠き部１１の一部が重なり合って連通孔が形成されていてもよい。
【００２４】
また、この状態の実施例１に係る絶縁カバー１Ａを、突起部１３ａが突設される第１の端面部３側から見たものが図３（ａ）である。
そして、この図３（ａ）に示す実施例１に係る絶縁カバー１Ａに係る突起部１３ａを、例えば図４に示すように、間接活線工具であるヤットコ１５で挟持して、ガイド用窓部６ａの形成方向に沿って、すなわち、中心軸８を基軸に第１の筒状体２又は第２の筒状体９ａの周側面方向（図３，４中の符号Ｐで示す方向）に、回動させて、ガイド用窓部６ａの一の端部側［図３（ａ），（ｂ）中の紙面下方側に配されるガイド用窓部６ａの端部及びその近傍］に移動させればよい。
この動作により、図３（ｂ）に示すように、第１の筒状体２の側面に形成される第１の切欠き部４の全域が第２の筒状体９ａにより被覆されて、第１の筒状体２が閉じた状態になる。さらに、第１の筒状体２の第１の端面部３に形成される第２の切欠き部５の一部（電線１４が配される領域を除く）も、第２の筒状体９ａの端面に設けられる第２の端面部１０ａにより被覆される。つまり、絶縁カバー１Ａの第１の筒状体２の中空部から電線１４が取り出せない状態になる。
この結果、図３（ｂ）に示すように、電線１４上の所望部位の周側面上を実施例１に係る絶縁カバー１Ａにより被覆して絶縁することができる。
【００２５】
また、電線１４に装着した実施例１に係る絶縁カバー１Ａを取り外すには、上述の作業手順の逆を行えばよい。
すなわち、図３（ｂ）に示す状態の実施例１に係る絶縁カバー１Ａの突起部１３ａをヤットコ１５で挟持して、ガイド用窓部６ａの形成方向に沿って、すなわち、中心軸８を基軸に第１の筒状体２又は第２の筒状体９ａの周側面方向（図３中の符号Ｑで示す方向）に回動させて、ガイド用窓部６ａの他の端部側［図３（ａ），（ｂ）中の紙面上方側に配されるガイド用窓部６ａの端部及びその近傍］に移動させればよい。
そして、この動作により第１の筒状体２における第１の切欠き部４と第２の切欠き部５からなる孔と、第２の筒状体９ａにおける第３の切欠き部１１と第４の切欠き部１２とからなる孔とからなる連通孔を形成してから［図３（ａ）］、この連通孔内から電線１４を取り外せばよい。すなわち、第１の筒状体２及び第２の筒状体９ａからなる二重の筒状体を、電線１４上の所望箇所から取り外せばよい。
【００２６】
なお、実施例１に係る絶縁カバー１Ａでは、ガイド用窓部６ａの一の端部、又は、他の端部に突起部１３ａを移動させた場合に、第１の切欠き部４が第２の筒状体９ａにより完全に被覆された状態になる、又は、第１の切欠き部４と第３の切欠き部１１とからなり電線１４を挿脱可能な連通孔が形成された状態になる場合を例に挙げて説明しているが、必ずしもこの形態でなくてもよい。つまり、ガイド用窓部６ａの一の端部側に突起部１３ａを移動させている途中で、第１の切欠き部４が第２の筒状体９ａにより完全に被覆された状態になる、又は、ガイド用窓部６ａの他の端部側に突起部１３ａを移動させている途中で、第１の切欠き部４と第３の切欠き部１１とからなり電線１４を挿脱可能な連通孔が形成されよう絶縁カバー１Ａを構成してもよい。
すなわち、実施例１に係る絶縁カバー１Ａは、第２の筒状体９ａの回動状態に関して、ある程度の遊びを有する状態としてもよい。
特に、前者の場合は、突起部１３ａがガイド用窓部６ａの一の端部又は他の端部に到達した状態が、突起部１３ａの回動作業の完了時点となるので、作業性を向上させることができるという効果を有する。
また、特に後者の場合は（第２の筒状体９ａの回動状態に関して、ある程度の遊びを有する場合）、突起部１３ａをガイド用窓部６ａの形成方向に沿って移動させた後に、意図せず突起部１３ａがガイド用窓部６ａに沿って少し後戻りした場合でも、電線１４の周側面上を被覆する絶縁カバー１Ａに隙間を生じ難くすることができる。
なお、ガイド用窓部６ａにおける突起部１３ａの位置関係と、第１の筒状体２の第１の切欠き部４の開閉状態の関係については、後段に示す他の実施の形態においても同様である。また、その場合は、ガイド用窓部６ａを後段に示すガイド用窓部６ｂに、突起部１３ａを後段に示す突起部１３ｂに置き換えることができる。
【００２７】
このような実施例１に係る絶縁カバー１Ａによれば、図４に示すように、電線１４上の所望部位に絶縁カバー１Ａを掛止した後、電線１４の所望部位の周側面上の全てを絶縁カバー１Ａにより被覆する作業を、ヤットコ１５のみの使用により完了することができる。
また、実施例１に係る絶縁カバー１Ａによれば、電線１４から実施例１に係る絶縁カバー１Ａを取り外し可能にするための作業についてもヤットコ１５のみの使用により完了することができる。
したがって、実施例１に係る絶縁カバー１Ａによれば、その着脱に使用する間接活線工具の種類を少なくすることができ、これにより作業性を向上できるだけでなく、間接活線工具を携行する作業者の負担も大幅に軽減することができる。
【００２８】
ここで、上述の実施例１に係る絶縁カバー１Ａに付加することができる選択的必須構成要素について説明する。
実施例１に係る絶縁カバー１Ａの第１の筒状体２は、図１乃至図４に示すように、その外周面上にヤットコ１５で挟持可能な把持部７が突設されていてもよい。なお、図１乃至図４では特に、電線１４に掛止した状態の第１の筒状体２において、把持部７が水平方向に突設される場合を例に挙げて説明しているが、把持部７の突設位置は図示されるものに限定されない。
この場合、図４に示すように、実施例１に係る絶縁カバー１Ａにより電線１４の所望部位を被覆する作業を行う間、別のヤットコ１５により作業中の絶縁カバー１Ａを保持しておくことができる。
したがって、実施例１に係る絶縁カバー１Ａが選択的必須構成要素として把持部７を備える場合は、電線１４に実施例１に係る絶縁カバー１Ａの着脱作業に用いる間接活線工具をヤットコ１５のみにすることができるので、絶縁カバー１Ａの着脱作業を一層効率的に行うことができる。また、上記作業時に作業者が携行すべき間接活線工具の種類を１種類のみにすることができるので、作業者の負担も大幅に軽減することができる。
なお、上述のような把持部７を、後段において説明する他の実施例に係る絶縁カバー（絶縁カバー１Ｂ〜１Ｅ）に設けておいてもよい。他の実施例に係る絶縁カバー（絶縁カバー１Ｂ〜１Ｅ）が、把持部７を備える場合も同上の効果を発揮させることができる。
【００２９】
また、図１乃至図４に示すように、実施例１に係る絶縁カバー１Ａでは、絶縁カバー１Ａを電線１４に掛止した状態において第１の切欠き部４及び第３の切欠き部１１が鉛直下方側に配されるようにこれらを形成する場合を例に挙げて説明しているが、絶縁カバー１Ａを電線１４に掛止した状態における第１の切欠き部４及び第３の切欠き部１１の形成位置が鉛直下方側である必要は特になく、所望の方向に形成されてよい。
なお、例えば、絶縁カバー１Ａを電線１４に配した状態において鉛直上方側に第１の切欠き部４及び第３の切欠き部１１が配設される場合は、電線１４に対して絶縁カバー１Ａを掛止するのではなく嵌設することになる。
さらに、特に絶縁カバー１Ａを電線１４に掛止した状態において第１の切欠き部４及び第３の切欠き部１１が鉛直下方側に形成されない場合、第１の筒状体２の鉛直下方側の周側面上に把持部７を突設しておくことができる。
あるいは、第１の筒状体２の鉛直下方側の周側面上に把持部７を突設する代わりに、間接活線工具である共用操作棒（頭頂部にＴ字状の係合部を有するもの）の頭部を係合させるための係合部（図示せず）を第１の筒状体２と一体に設けておいてもよい。
このように第１の筒状体２が共用操作棒の頭部を係合させるための係合部を備える場合は、共用操作棒（図示せず）により絶縁カバー１Ａを鉛直下方側から支えながら、間接活線工具のヤットコ１５（図４を参照）で突起部１３ａを操作することができる。この場合、実施例１に係る絶縁カバー１Ａの着脱作業をヤットコ１５のみで行うことはできないものの、汎用性を有する間接活線工具である共用操作棒で絶縁カバー１Ａを真下から支持しておくことができるので、絶縁カバー１Ａの着脱作業を、電線１４に絶縁カバー１Ａを掛止又は嵌設した状態における第１の筒状体２の左右方向のいずれか一方側からのアプローチのみで完了することができるというメリットがある。
特に、第１の筒状体２を図示しない共用操作棒でその鉛直下方側から支持する場合は、後段において実施例３乃至５として説明する発明のように絶縁カバーがハンドル部（ハンドル部１６；図７乃至図９）を備える場合に、共用操作棒と、ハンドル部を操作するヤットコ１５が干渉しない。このため、第１の筒状体２をその端面側から見た場合に、左右いずれかの一方の側面方向から作業することができる。
【００３０】
さらに、特に図示しないが、実施例１に係る絶縁カバー１Ａのガイド用窓部６ａの長手方向端部近傍に、第１の端面部３と同一平面方向で、かつ、ガイド用窓部６ａの内側に突設される突起を単数、又は、互いに対向するように複数（例えば、一対）設けておき、回動移動してガイド用窓部６ａの長手方向端部に到達した突起部１３ａをその位置に一時的に係止可能に構成してもよい（選択的必須構成要素）。
あるいは、ガイド用窓部６ａの幅と、突起部１３ａの直径を同じに設定して、突起部１３ａの操作時に、ガイド用窓部６ａの内側面と突起部１３ａの周側面が常時摩擦するよう構成してもよい。
いずれの場合も、意図的に突起部１３ａを操作する以外に、意図せず突起部１３ａがガイド用窓部６ａ内を移動してしまうのを好適に防止することができる。
この結果、電線１４の所望部位に装着した実施例１に係る絶縁カバー１Ａが、その使用時に意図せず電線１４から外れてしまうのを好適に防止することができる。
なお、ガイド用窓部６ａに設けられる上述のような突起部１３ａのスライド規制構造は、後段において説明する他の実施例に係る絶縁カバー（絶縁カバー１Ｂ〜１Ｅ）に設けられてもよい。他の実施例に係る絶縁カバー（絶縁カバー１Ｂ〜１Ｅ）が、上述のような突起部１３ａ（又は突起部１３ｂ；後段において説明する実施例５を参照）のスライド規制構造を備える場合も同様の効果を発揮させることができる。
【実施例２】
【００３１】
次に、図５，６を参照しながら実施例２に係る絶縁カバーについて詳細に説明する。
図５（ａ）は本発明の実施例２に係る絶縁カバーの第１の筒状体の斜視図であり、（ｂ）は同絶縁カバーの第２の筒状体の斜視図である。また、図６は本発明の実施例１に係る絶縁カバーの斜視図である。なお、図１乃至図４に記載されたものと同一部分については同一符号を付し、その構成についての説明は省略する。
図５，６に示すように、実施例２に係る絶縁カバー１Ｂは、実施例１に係る絶縁カバー１Ａにおける第２の筒状体９ａに代えて、中心軸８方向における筒状体の領域がより小さい割筒体９ｂを用いてなるものである。
つまり、実施例２に係る絶縁カバー１Ｂの割筒体９ｂは、絶縁材からなる円筒体の一部を軸（中心軸８）方向に切り取ってなるものである。
より具体的に説明すると、実施例１に係る絶縁カバー１Ａにおける第２の筒状体９ａでは、その軸（中心軸８）方向に対する垂直断面において、第２の筒状体９ａの縁部のそれぞれ（第４の切欠き部１２の両側縁）とその中心（中心軸８）を結ぶ直線のなす角度が１８０°以上に設定されるものである［例えば、図３を参照］。これに対して、実施例２に係る絶縁カバー１Ｂの割筒体９ｂは、その軸（中心軸８）方向に対する垂直断面から見た場合に、第２の筒状体９ａの縁部のそれぞれとその中心（中心軸８）を結ぶ直線のなす角度が１８０°より小さく［例えば、図５（ｂ）、図６を参照］設定されるものである。
さらに、実施例２に係る絶縁カバー１Ｂの割筒体９ｂは、この割筒体９ｂを、中心軸８を基軸に回動させた場合に、第１の筒状体２に形成される第１の切欠き部４が完全に割筒体９ｂにより被覆されるよう構成されるものである。
【００３２】
このような割筒体９ｂを備えてなる実施例２に係る絶縁カバー１Ｂの場合も、上述の実施例１に係る絶縁カバー１Ａの場合と同様の効果を有する。
また、実施例２に係る絶縁カバー１Ｂによれば、実施例１に係る絶縁カバー１Ａに比べて、割筒体９ｂを構成する絶縁材からなる筒状体の領域が小さいので、絶縁カバー１Ｂを軽量化するとともにシンプルにすることができる。
【００３３】
なお、実施例２に係る絶縁カバー１Ｂでは、図５，６に示すように、割筒体９ｂの中心軸８方向両端部のそれぞれに端板部１０ｂ（実施例１に係る第２の端面部１０ａに相当）を設け、この一対の端板部１０ｂのそれぞれに突起部１３ａを突設してもよい。また、これと併せて、第１の筒状体２の中心軸８方向両端部のそれぞれに設けられる第１の端面部３に、一対の端板部１０ｂのそれぞれに突起部１３ａを導出するためのガイド用窓部６ａを設けておいてもよい。
この場合、端板部１０ｂのそれぞれに突設される一対の突起部１３ａが、一対のガイド用窓部６ａに掛止されることで、第１の筒状体２の中空部内における割筒体９ｂの位置を所望に保ちつつ、所望に制御（変更）することができる。
よって、図５，６に示すような割筒体９ｂを用いる場合は、その中心軸８方向両端に一対の突起部１３ａを設け、この一対の突起部１３ａのそれぞれを、一対のガイド用窓部６ａに掛止しておくことで、割筒体９ｂの操作性を大幅に向上させることができる。
なお、実施例２に係る絶縁カバー絶縁カバー１Ｂの操作方法は、実施例１に係る絶縁カバー１Ａと同じ（図４を参照）であるため、ここでの詳細な説明は省略する。
【実施例３】
【００３４】
次に、図７を参照しながら本発明の実施例３に係る絶縁カバーについて詳細に説明する。
図７は本発明の実施例３に係る絶縁カバーの斜視図である。なお、図１乃至図６に記載されたものと同一部分については同一符号を付し、その構成についての説明は省略する。
実施例３に係る絶縁カバー１Ｃは、先に説明した実施例１に係る絶縁カバー１Ａ（図１，２を参照）と同じ構成に加えて、図７に示すように、突起部１３ａを備えない側の第２の端面部１０ａにも突起部１３ａを突設し、さらに、この新たに設けられる突起部１３ａを導出させるための新たなガイド用窓部６ａが第１の筒状体２の第１の端面部３に設けられるものである。加えて、実施例３に係る絶縁カバー１Ｃは、このような一対の突起部１３ａ，１３ａの第１の端面部３に接続されない側の端部側に、電線１４の中心軸８方向と平行に配される棒状のハンドル部１６を備えている。
なお、図７に示すように、実施例３に係る絶縁カバー１Ｃでは、突起部１３ａとハンドル部１６と棒状の連結部１７ａを介して接続されている。
【００３５】
先に示す実施例１，２に係る絶縁カバー１Ａ，１Ｂでは、第２の筒状体９ａ又は割筒体９ｂの操作は、突起部１３ａの突設位置においてしか行うことができなかった。
これに対して、実施例３に係る絶縁カバー１Ｃでは、ハンドル部１６を備えていることで、ハンドル部１６の所望の位置をヤットコ１５で挟持して突起部１３ａを操作することができる。つまり、実施例３に係る絶縁カバー１Ｃの操作性を大幅に向上することができる。
なお、実施例３に係る絶縁カバー１Ｃでは、ハンドル部１６の操作時に第１の筒状体２に突設される把持部７とハンドル部１６とが干渉することがないように連結部１７ａの長さを適宜調整する必要がある。
【００３６】
また、実施例３に係る絶縁カバー１Ｃが有するようなハンドル部１６及び連結部１７ａを、先の図５，６に示すような実施例２に係る絶縁カバー１Ｂの一対の突起部１３ａに設けてもよい。
この場合、実施例２に係る絶縁カバー１Ｂの操作性を一層向上することができる。なお、実施例２に係る絶縁カバー１Ｂにハンドル部１６及び連結部１７を設ける場合も、第１の筒状体２に突設される把持部７とハンドル部１６とが干渉しないように連結部１７ａの長さを適宜調整する必要がある。
【実施例４】
【００３７】
続いて、図８を参照しながら本発明の実施例４に係る絶縁カバーについて詳細に説明する。
図８は本発明の実施例４に係る絶縁カバーの斜視図である。なお、図１乃至図７に記載されたものと同一部分については同一符号を付し、その構成についての説明は省略する。
図８に示すように、実施例４に係る絶縁カバー１Ｄは、先の実施例３に係る絶縁カバー１Ｃとほぼ同一の構成からなるものであるが、実施例３に係る絶縁カバー１Ｃにおける突起部１３ａとハンドル部１６とをつなぐ連結部１７ａがＬ字状をなす連結部１７ｂを備えてなるものである。
このような実施例４に係る絶縁カバー１Ｄを備える場合も、実施例３に係る絶縁カバー１Ｃと同様の作用効果を発揮させることができる。
また、図８に示すように、突起部１３ａとハンドル部１６とをつなぐ連結部１７ａがＬ字状をなす連結部１７ｂを備える場合は、第１の筒状体２に突設される把持部７と、ハンドル部１６の配設位置が近接する場合に、把持部７とハンドル部１６の間を離間させることができる。これにより、ハンドル部１６をヤットコ１５で挟持する場合に、ハンドル部１６とともに挟持する必要のない把持部７までもヤットコ１５で挟持してしまうのを防止することができる。
この結果、ハンドル部１６をヤットコ１５で挟持して作業を行う際の作業性を向上することができる。
よって、実施例４に係る絶縁カバー１Ｄによれば、より作業がしやすい絶縁カバーを提供することができる。
【００３８】
また、実施例４に係る絶縁カバー１Ｄが有するようなハンドル部１６及びその連結部１７ｂを、先の図５，６に示す実施例２に係る絶縁カバー１Ｂの一対の突起部１３ａに設けてもよい。
この場合、実施例２に係る絶縁カバー１Ｂの操作性を一層向上することができる。なお、実施例２に係る絶縁カバー１Ｂにハンドル部１６及び連結部１７ｂを設ける場合も、第１の筒状体２に突設される把持部７とハンドル部１６とが干渉しないように連結部１７ｂの長さを適宜調整する必要がある。
【実施例５】
【００３９】
最後に、本発明の実施例５に係る絶縁カバーについて図９を参照しながら詳細に説明する。
図９は本発明の実施例５に係る絶縁カバーの斜視図である。なお、図１乃至図８に記載されたものと同一部分については同一符号を付し、その構成についての説明は省略する。
上述の実施例１乃至実施例４に係る絶縁カバー１Ａ〜１Ｄでは、第１の筒状体２の端面側に突起部１３ａを突設しているが、この突起部１３ａの突設方向は、第１の筒状体２の端面側でなく第１の筒状体２の周側面側でもよい。
より具体的に説明すると、実施例５に係る絶縁カバー１Ｅは、先の図２（ａ），（ｂ）に示されるような第１の端面部３，３を有する第１の筒状体２、及び、第２の端面部１０ａ，１０ａを有する第２の筒状体９ａを備えるものである。さらに、実施例５に係る絶縁カバー１Ｅは、図９に示すように、第２の筒状体９ａの周側面上に突設される少なくとも１の突起部１３ｂを備え、さらに、第１の筒状体２の胴部には、この第２の筒状体９ａを第１の筒状体２の中空部内に収容した際に、この突起部１３ｂを第１の筒状体２の外に導出させるガイド用窓部６ｂが形成されている。
そして、ガイド用窓部６ｂは、第１の筒状体２の中心軸８方向に対する垂直断面における中心と同じ中心を有する円弧上に形成されることで、突起部１３ｂを、中心軸８を基軸にして第１の筒状体２の周方向に回動させることができる。
さらに、実施例５に係る絶縁カバー１Ｅは、突起部１３ｂの第２の筒状体９ａに接続されない端部側に、中心軸８と平行に配されるハンドル部１６を備えている。
【００４０】
このような実施例５に係る絶縁カバー１Ｅによれば、上述の実施例３，４に係る絶縁カバー１Ｃ，１Ｄの場合と同様にハンドル部１６をヤットコ１５で挟持して操作することで間接的に突起部１３ｂを操作することができる。そして、この突起部１３ｂの回動動作により、第１の筒状体２に形成される第１の切欠き部４の全域を、第２の筒状体９ａで被覆したり、その状態を解消したりすることができる。
つまり、実施例５に係る絶縁カバー１Ｅによれば、ハンドル部１６の操作により、電線１４に対する絶縁カバー１Ｅの装着状態と、その解除を容易に切り替えることができる。
【００４１】
また、実施例５に係る絶縁カバー１Ｅでは、第２の筒状体９ａに接続されない側の突起部１３ｂの端部に直接ハンドル部１６を連結してもよいが（例えば、図７に示す連結部１７ａ及びハンドル部１６を参照）、図９に示すように連結部１７ｃを介してハンドル部１６を接続してもよい。
この場合は、先の図８に示す実施例４に係る絶縁カバー１Ｄと同様に、ハンドル部１６を把持部７から離れた位置に配置することができるので、ヤットコ１５によるハンドル部１６の挟持性が良好になり、これによりヤットコ１５によるハンドル部１６の操作が容易になる。
つまり、実施例５に係る絶縁カバー１Ｅによれば、上述の実施例４に係る絶縁カバー１Ｄによる効果と同じ効果を発揮させることができる。
【００４２】
また、図５に示すような絶縁カバー１Ｅにおいて、第２の筒状体９ａを先の図５（ｂ）に示すような端板部１０ｂ，１０ｂを有する第２の端面部１０ａに置き換えてもよい。特に、この場合、先の図５（ｂ）に示すような一対の突起部１３ａ，１３ａに加えて、絶縁カバー１Ｅにおける第１の筒状体２の第１の端面部３，３にこの突起部１３ａ，１３ａを導出させるガイド用窓部６ａ，６ａをガイド用窓部６ｂとは別に設けておくことで、第１の筒状体２の中空部内の所望の位置に割筒体９ｂを配置しておくことができる。
このような実施例５の変形例に係る絶縁カバーも、第２の筒状体９ａを備えてなる実施例５に係る絶縁カバー１Ｅと同じ効果を有する。
【産業上の利用可能性】
【００４３】
以上説明したように本発明は、電線への着脱作業に必要な間接活線工具の種類を少なくすることができ、経時変化に伴い絶縁カバーに劣化が起きた場合でも外れ難い絶縁カバーであり、送電設備の保守点検に関する技術分野において利用可能である。
【符号の説明】
【００４４】
１Ａ〜１Ｅ…絶縁カバー  ２…第１の筒状体  ３…第１の端面部  ４…第１の切欠き部  ５…第２の切欠き部  ６ａ，６ｂ…ガイド用窓部  ７…把持部  ８…中心軸  ９ａ…第２の筒状体  ９ｂ…割筒体  １０ａ…第２の端面部  １０ｂ…端板部  １１…第３の切欠き部  １２…第４の切欠き部  １３ａ，１３ｂ…突起部  １４…電線  １５…ヤットコ  １６…ハンドル部  １７ａ，１７ｂ，１７ｃ…連結部
【図１】
2018073580.tif 000003
【図２】
2018073580.tif 000004
【図３】
2018073580.tif 000005
【図４】
2018073580.tif 000006
【図５】
2018073580.tif 000007
【図６】
2018073580.tif 000008
【図７】
2018073580.tif 000009
【図８】
2018073580.tif 000010
【図９】
2018073580.tif 000011